(57)【特許請求の範囲】
【請求項１】
軸方向一端側に粉粒体の被処理物を供給する供給口を有し、軸方向他端側に前記被処理物の処理物を排出する排出口を有する筒状の処理容器と、
前記処理容器の内部に挿通された回転軸、および、該回転軸の外周部に設けられ、軸方向及び回転方向に非連続な形状を有する複数の攪拌羽根を有するアジテータと、
前記処理容器の内周部と所定の隙間をもって対向する掻き取り羽根を有し、前記処理容器に対して相対回転することにより、前記処理容器の内周部に付着した前記被処理物を前記掻き取り羽根で掻き落すスクレーパとを備え、
前記スクレーパの掻き取り羽根は、前記処理容器内の被処理物に対して前記軸方向他端側又は軸方向一端側への移動力を与えるように、前記処理容器の軸線に対して傾斜していると共に、前記スクレーパは、前記処理容器内の被処理物の前記軸方向他端側への移動を遅らせる遅延堰を有し、
前記供給口から前記処理容器の内部に供給され、処理液で湿潤した前記被処理物を、前記処理容器の軸方向一端側から軸方向他端側に向けて移動させつつ、回転する前記アジテータの攪拌羽根で攪拌混合及び解砕して分散させて前記処理物を生成し、該処理物を前記処理容器の排出口から排出することを特徴とする連続式攪拌処理装置。
【請求項２】
前記処理容器は回転方向に固定で、前記スクレーパが前記アジテータよりも遅い回転速度で回転することを特徴とする請求項１に記載の連続式攪拌処理装置。
【請求項３】
前記処理容器は、前記処理容器内の被処理物に対して前記軸方向他端側又は軸方向一端側への移動力を与えるように、水平線に対して傾斜可能であることを特徴とする請求項１又は２に記載の連続式攪拌処理装置。
【請求項４】
前記アジテータの内部及び前記スクレーパの内部のうち少なくとも一方の部位を介して前記処理液を前記処理容器内の被処理物に添加する請求項１から３の何れか一項に記載の連続式攪拌処理装置。
【請求項５】
被処理物を前記処理容器の供給口に投入する被処理物投入部と、該被処理物投入部に被処理物を供給する被処理物供給部とを備え、前記被処理物投入部及び前記被処理物供給部のうち少なくとも一方の部位で前記処理液を被処理物に添加する請求項１から４の何れか一項に記載の連続式攪拌処理装置。
【発明の詳細な説明】
【技術分野】
【０００１】
本発明は、医薬品、化学薬品、食品、農薬、飼料、化粧品、ファインケミカル等の製造分野において、粉粒体の混合、造粒、コーティング、乾燥等の処理を連続的に行う連続式攪拌処理装置に関する。
【背景技術】
【０００２】
粉粒体に対して造粒等の処理を連続的に行う装置として、特許文献１、２に開示されているような２軸スクリュー方式の連続処理装置が知られている。特許文献１、２の連続処理装置では、結合剤液の添加により湿潤した粉粒体の被処理物を、処理容器内で回転する２軸の混練スクリューにより混練しつつ排出側に移動させ、処理容器の排出口から排出される被処理物を、ロール塊成機で板状に塊成し（特許文献１）、あるいは、半球殻ダイの多数の孔から連続的に押し出して顆粒状に成形する（特許文献２）。
【先行技術文献】
【特許文献】
【０００３】
【特許文献１】特許第５３１６４０３号公報
【特許文献２】特開２０１２−１２５７５４号公報
【発明の概要】
【発明が解決しようとする課題】
【０００４】
特許文献１、２の２軸スクリュー方式の連続処理装置では、生成される処理物が比較的固い混練物又はその解砕物になるため、処理物の粒度分布等の品質が安定せず、また、当該処理物を後工程で成形する際の成形性が悪いという問題点がある。さらに、被処理物が処理容器の内面やスクリューの外面に付着して、処理物を収率よく製造することが難しいという問題点もある。
【０００５】
本発明の課題は、粉粒体の被処理物を、安定した品質で成形性が良い顆粒状の処理物に収率よく連続的に処理することができる処理装置を提供することである。
【課題を解決するための手段】
【０００６】
上記課題を解決するため、本発明は、軸方向一端側に粉粒体の被処理物を供給する供給口を有し、軸方向他端側に前記被処理物の処理物を排出する排出口を有する筒状の処理容器と、前記処理容器の内部に挿通された回転軸、および、該回転軸の外周部に設けられ、軸方向及び回転方向に非連続な形状を有する複数の攪拌羽根を有するアジテータと、前記処理容器の内周部と所定の隙間をもって対向する掻き取り羽根を有し、前記処理容器に対して相対回転することにより、前記処理容器の内周部に付着した前記被処理物を前記掻き取り羽根で掻き落すスクレーパとを備え、前記スクレーパの掻き取り羽根は、前記処理容器内の被処理物に対して前記軸方向他端側又は軸方向一端側への移動力を与えるように、前記処理容器の軸線に対して傾斜していると共に、前記スクレーパは、前記処理容器内の被処理物の前記軸方向他端側への移動を遅らせる遅延堰を有し、前記供給口から前記処理容器の内部に供給され、処理液で湿潤した前記被処理物を、前記処理容器の軸方向一端側から軸方向他端側に向けて移動させつつ、回転する前記アジテータの攪拌羽根で攪拌混合及び解砕して分散させて前記処理物を生成し、該処理物を前記処理容器の排出口から排出する連続式攪拌処理装置を提供する。
【０００７】
本発明の連続式攪拌処理装置では、処理容器が回転方向に固定で、アジテータとスクレーパが回転する構成、スクレーパが回転方向に固定で、アジテータと処理容器が回転する構成を選択できる。好ましくは、処理容器が回転方向に固定で、スクレーパがアジテータよりも遅い回転速度で回転する。
【００１０】
上記構成において、前記処理容器は、前記処理容器内の被処理物に対して軸方向一端側又は軸方向他端側への移動力を与えるように、水平線に対して傾斜可能である構成とすることができる。
【００１１】
上記構成において、前記アジテータの内部及び前記スクレーパの内部のうち少なくとも一方の部位を介して前記処理液を前記処理容器内の被処理物に添加する構成とすることができる。
【００１２】
上記構成において、被処理物を前記処理容器の供給口に投入する被処理物投入部と、該被処理物投入部に被処理物を供給する被処理物供給部とを備え、前記被処理物投入部及び前記被処理物供給部のうち少なくとも一方の部位で前記処理液を被処理物に添加する構成とすることができる。
【発明の効果】
【００１３】
本発明によれば、粉粒体の被処理物を、安定した品質で成形性が良い顆粒状の処理物に収率よく連続的に処理することができる処理装置を提供することができる。
【図面の簡単な説明】
【００１４】
【図１】実施形態に係る連続式攪拌処理装置を概念的に示す図である。
【図２】アジテータを示す斜視図｛図２（ａ）｝、側面図｛図２（ｂ）｝、正面図｛図２（ｃ）｝である。
【図３】アジテータの攪拌羽根を拡大して示す平面図｛図３（ａ）｝、側面図｛図３（ｂ）｝、正面図｛図３（ｃ）｝、斜視図｛図３（ｄ）｝である。
【図４】スクレーパを構成するスクレーパ分割体を示す縦断面図｛図４（ａ）｝、図４（ａ）のＡ−Ａ横断面図｛図４（ｂ）｝、側面図｛図４（ｃ）｝である。
【図５】実施形態に係る連続式攪拌処理装置を水平線に対して傾斜させた状態を示す図である。
【図６】連続式攪拌処理装置を傾斜させて、処理容器の軸線を水平線に対して角度９０度で傾斜させた状態を示す図である。
【図７】変形例に係るアジテータを示す斜視図｛図２（ａ）｝、側面図｛図２（ｂ）｝、正面図｛図２（ｃ）｝である。
【発明を実施するための形態】
【００１５】
以下、本発明の実施形態を図面に従って説明する。
【００１６】
図１は、実施形態に係る連続式攪拌処理装置を概念的に示している。この実施形態の連続式攪拌処理装置は、例えば、被処理物Ｐ１である粉粒体原料を連続的に造粒処理して、処理物Ｐ２である顆粒状の造粒物を連続的に製造する装置である。
【００１７】
この実施形態の連続式攪拌処理装置は、軸方向一端側に被処理物（粉粒体原料）Ｐ１を供給する供給口１ａを有し、軸方向他端側に処理物（粉粒体原料の造粒物）Ｐ２を排出する排出口１ｂを有する筒状の処理容器１と、処理容器１の内部に挿通されたアジテータ２と、処理容器１の内部に設けられ、処理容器１に対して相対回転するスクレーパ３とを主要な要素として構成される。この実施形態において、処理容器１は回転せず、アジテータ２とスクレーパ３が回転する。アジテータ２とスクレーパ３は、回転駆動部４に設けられた個別の回転駆動機構（図示省略）にそれぞれ連結され、回転速度及び回転方向が個別的に設定可能である。
【００１８】
処理容器１は、周壁部（筒状部分）を、複数の分割筒体の連結体で構成し、あるいは、単一の筒体で構成したもので、周壁部の外周側は、加温媒体又は冷却媒体を流通させるジャケット（図示省略）で覆われる。
【００１９】
図２に示すように、アジテータ２は、処理容器１の内部に挿通される回転軸２ａと、回転軸２ａの外周部に設けられ、軸方向及び回転方向に非連続な形状を有する複数の攪拌羽根２ｂとを備えている。回転軸２ａは、例えば、図２（ａ）及び図２（ｂ）に示す一端部２ａ１が処理容器１の軸方向一端側（供給口１ａの側）、他端部２ａ２が処理容器１の軸方向他端側に位置し、処理容器１の軸線に沿って軸方向一端側から軸方向他端側に延在する。また、回転軸２ａは図２に矢印Ｒ１で示す方向に回転し、これにより各攪拌羽根２ｂも矢印Ｒ１方向に回転する。
【００２０】
図３は、攪拌羽根２ｂを拡大して示している（矢印Ｒ１は攪拌羽根２ｂの回転方向）。攪拌羽根２ｂは、回転軸２ａのねじ穴（図示省略）に螺合するねじ部２ｂ１を有しており、回転軸２ａに対して着脱可能である。攪拌羽根２ｂは、回転方向Ｒ１と直交する側に偏平な形態を有し、攪拌羽根２ｂを回転軸２ａに装着した状態で、攪拌羽根２ｂの回転方向Ｒ１側の中心線Ｌは、回転軸２ａの軸線Ｘと直交する｛図２（ｂ）を参照｝。ただし、攪拌羽根２ｂの中心線Ｌが回転軸２ａの軸線Ｘに対して９０度未満の角度で所定方向に傾斜するように、攪拌羽根２ｂを回転軸２ａに装着するようにしても良い。また、攪拌羽根２ｂの回転方向Ｒ１側の前方部には、回転方向前方側に向かって漸次に鋭利になった片刃状のナイフエッジ部２ｂ２が設けられている。この攪拌羽根２ｂが矢印Ｒ１方向に回転することにより、処理容器１内の被処理物が攪拌混合されると共に、被処理物がナイフエッジ部２ｂ２で解砕されて分散される。
【００２１】
尚、回転軸２ａの内部に処理液、例えば結合剤液の流通路を設けると共に、回転軸２ａの一端部２ａ１の側の外周部に上記流通路と連通するノズル部を設け、処理容器１の外部から供給される結合剤液を上記流通路とノズル部を介して、処理容器１内の被処理物に添加するようにしても良い。あるいは、回転軸２ａの内部に（必要に応じて攪拌羽根２ｂの内部にも）加温媒体又は冷却媒体を循環させる循環路を設け、処理容器１の外部から供給される加温媒体又は冷却媒体を上記循環路に導いて、回転軸２ａ及び攪拌羽根２ｂの温度調整を行うようにしても良い。
【００２２】
この実施形態において、スクレーパ３は、例えば、図４に示すようなスクレーパ分割体３Ａを複数軸方向に連結して構成される（矢印Ｒ２はスクレーパ３の回転方向）。スクレーパ分割体３Ａは、一端側の環状部３Ａ１と、他端側の環状部３Ａ２と、環状部３Ａ１と環状部３Ａ２とを繋ぐように設けられた複数の掻き取り羽根３Ａ３とを備えている。環状部３Ａ１は処理容器１の軸方向一端側（供給口１ａの側）、環状部３Ａ２は処理容器１の軸方向他端側（排出口１ｂの側）に位置する。また、環状部３Ａ１には、ボルト等の連結具を挿通するための貫通孔３Ａ１１が設けられ、環状部３Ａ２には、ボルト等の連結具を螺合させるためのねじ孔３Ａ２１が設けられている。軸方向に隣接するスクレーパ分割体３Ａは、一方のスクレーパ分割体３Ａの環状部３Ａ２に他方のスクレーパ分割体３Ａの環状部３Ａ１を突き合わせた状態でボルト等の連結具で連結される。
【００２３】
掻き取り羽根３Ａ３は、半径方向には、内径側から外径側に向かって、回転方向Ｒ２の前方側に傾斜し、軸方向には、一端側の環状部３Ａ１から他端側の環状部３Ａ２に向かって、回転方向Ｒ２の後方側に傾斜している。また、掻き取り羽根３Ａ３の外周部は、処理容器１の内周部１ｃと僅かな隙間を介して対向する。
【００２４】
スクレーパ３（複数のスクレーパ分割体３Ａの連結体）が、図４に示す矢印Ｒ２方向に回転すると、処理容器１の内周部１ｃに付着した被処理物が掻き取り羽根３Ａ３で掻き落されて、処理容器１内の被処理物層に戻される。また、処理容器１内の被処理物が掻き取り羽根３Ａ３の回転方向Ｒ２側の前面で軸方向他端側（排出口１ｂの側）に押されて、処理容器１内の被処理物に軸方向他端側への移動力が与えられる。その際、各スクレーパ分割体３Ａの環状部３Ａ１と３Ａ２は、被処理物の軸方向他端側への移動を遅らせる遅延堰として機能する。
【００２５】
尚、スクレーパ３は、複数のスクレーパ分割体３Ａの連結体ではなく、一体構造にしても良い。また、スクレーパ３の内部に処理液、例えば結合剤液の流通路を設けると共に、スクレーパ３の軸方向一端側の壁部に上記流通路と連通するノズル部を設け、処理容器１の外部から供給される結合剤液を上記流通路とノズル部を介して、処理容器１内の被処理物に添加するようにしても良い。あるいは、スクレーパ３の内部に加温媒体又は冷却媒体を循環させる循環路を設け、処理容器１の外部から供給される加温媒体又は冷却媒体を上記循環路に導いてスクレーパ３の温度調整を行うようにしても良い。
【００２６】
図１に示すように、この実施形態の連続式攪拌処理装置は、傾斜機構５ａを有する支持部５で支持されており、傾斜機構５ａにより、水平線に対して任意の角度で傾斜させることができる。図１に示す状態では、連続式攪拌処理装置は傾斜しておらず、処理容器１の軸線は水平線と平行又は略平行である。
【００２７】
被処理物（粉粒体原料）Ｐ１は、被処理物供給部６から被処理物投入部７を介して連続的又は断続的に処理容器１の供給口１ａに供給され、供給口１ａから処理容器１の内部に供給される。この実施形態において、被処理物供給部６は、被処理物Ｐ１を収容する被処理物収容部６ａと、被処理物収容部６ａから供給される被処理物Ｐ１を被処理物投入部７に向けて搬送する被処理物搬送部６ｂとを備えている。
【００２８】
被処理物Ｐ１に対して処理液、例えば結合剤液Ｑが添加され、これにより被処理物Ｐ１が湿潤するが、結合剤液Ｑを添加する位置は、処理容器１の内部（軸方向一端側の位置）、被処理物投入部７（図１の被処理物投入部７の箇所に符号Ｑを付した下向きの白抜き矢印で示す位置）、および被処理物搬送部６ｂ（図１の被処理物搬送部６ｂの箇所に符号Ｑを付した下向きの白抜き矢印で示す位置）の中から選択することができる。また、処理容器１の内部（軸方向一端側の位置）に結合剤液Ｑを添加する場合、結合剤液Ｑを添加する手段を、アジテータ２のノズル部（図１のアジテータ２の箇所に符号Ｑを付した上向きの白抜き矢印で示す位置）、スクレーパ３のノズル部（図１のスクレーパ３の箇所に符号Ｑを付した下向きの白抜き矢印で示す位置）、および処理容器１の内部に設置したノズル部材（図示省略）の中から選択することができる。
【００２９】
アジテータ２とスクレーパ３は、回転駆動部４により、それぞれ上述した方向に回転駆動される。スクレーパ３の回転速度はアジテータ２の回転速度よりも遅く、例えば、スクレーパ３はアジテータ２の回転速度に対して１／５〜１／２００の回転速度で回転する。
【００３０】
上記の態様で処理容器１の内部に供給され、結合剤液Ｑの添加により湿潤した被処理物Ｐ１は、回転するスクレーパ３の掻き取り羽根３Ａ３から受ける軸方向他端側（排出口２ｂの側）への移動力により、処理容器１内を軸方向他端側に移動しつつ、回転するアジテータ２の攪拌羽根２ｂにより攪拌混合及び解砕されて分散され、所定の粒子径及び粒子形態の処理物Ｐ２、例えば、粒度分布が比較的シャープで、かつ、混練物又はその解砕物に比べて比較的軽質で塑性変形しやすい顆粒状の造粒物になる。その際、処理容器１の内周部１ｃに付着した被処理物Ｐ１が、スクレーパ３の掻き取り羽根３Ａ３によって掻き落されて処理容器１の被処理物層に戻されるので、上記の処理が安定して行われると共に、処理物Ｐ２の収率が向上する。
【００３１】
上記の説明から理解できるように、この実施形態では、回転するスクレーパ３の掻き取り羽根３Ａ３から処理容器１内の被処理物Ｐ１に作用する軸方向他端側（排出口２ｂの側）への移動力が、被処理物Ｐ１を処理容器１の軸方向一端側から軸方向他端側に移動させる送り手段として働く。その際、各スクレーパ分割体３Ａの環状部３Ａ１と３Ａ２は、被処理物Ｐ１の軸方向他端側への移動を遅らせる遅延堰として機能し、処理容器１内での被処理物Ｐ１の滞留時間を長くする役割を持つ。尚、アジテータ２の攪拌羽根２ｂの中心線Ｌを回転軸２ａの軸線Ｘに対して傾斜させることによって、処理容器１内での被処理物Ｐ１の滞留時間を長く又は短くすることもできる。
【００３２】
上記の態様で処理された処理物Ｐ２は、処理容器１の排出口１ｂから外部に排出される。この実施形態では、排出口１ｂから排出される処理物Ｐ２の物性（水分値等）を光学センサ、例えば近赤外線分光分析装置の近赤外線センサ（ＮＩＲ）で検出し、この検出結果を連続式攪拌処理装置の制御装置にフィードバックして、処理操作因子、例えば処理容器１への被処理物Ｐ１の供給速度、結合剤液Ｑの添加量及び添加速度、アジテータ２の回転速度及び回転方向、スクレーパ３の回転速度及び回転方向等を制御できるようにしている。また、この実施形態では、排出口１ｂから排出される処理物Ｐ２を整粒機構８で整粒した後、次工程の処理装置９、例えば連続乾燥装置に連続的に供給して乾燥させる。その際、整粒機構８で整粒された後の処理物Ｐ２の粒子径や粒子形状等を光学式の画像処理装置（ＰＶ）で検出し、この検出結果を連続式攪拌処理装置の制御装置にフィードバックして、処理操作因子を制御できるようにしている。尚、排出口１ｂと整粒機構８との間に乾式造粒機構を介装しても良い。
【００３３】
図５は、連続式攪拌処理装置を傾斜機構５ａにより傾斜させて、処理容器１の軸方向一端側（供給口１ａの側）が傾斜方向上方側、軸方向他端側（排出口１ｂの側）が傾斜方向下方側に位置するように、処理容器１の軸線を水平線に対して所定角度で傾斜させた状態を示している。処理容器１が同図に示す方向に傾斜すると、重力の影響により、処理容器内１の被処理物Ｐ２に対して軸方向他端側に向かう移動力が与えられる。従って、この場合、処理容器内１の被処理物Ｐ２に対して、回転するスクレーパ３の掻き取り羽根３Ａ３による軸方向他端側への移動力と、処理容器１の傾斜に伴う重力の影響による軸方向他端側への移動力とが与えられ、これらの移動力の合力が、被処理物Ｐ１を処理容器１の軸方向一端側から軸方向他端側に移動させる送り手段として働く。その際、各スクレーパ分割体３Ａの環状部３Ａ１と３Ａ２は、被処理物Ｐ１の軸方向他端側への移動を遅らせる遅延堰として機能し、処理容器１内での被処理物Ｐ１の滞留時間を長くする役割を持つ。また、アジテータ２の攪拌羽根２ｂの中心線Ｌを回転軸２ａの軸線Ｘに対して傾斜させることによって、処理容器１内での被処理物Ｐ１の滞留時間を長く又は短くすることもできる。
【００３４】
あるいは、スクレーパ３を上記とは反対方向に回転させると、処理容器内１の被処理物Ｐ２が、回転するスクレーパ３の掻き取り羽根３Ａ３から軸方向一端側（供給口１ａの側）への移動力を受けるので、処理容器１内での被処理物Ｐ１の滞留時間が長くなる。この場合、回転するスクレーパ３の掻き取り羽根３Ａ３により処理容器１内の被処理物Ｐ２に作用する軸方向一端側への移動力と、処理容器１の傾斜に伴う重力の影響により処理容器１内の被処理物Ｐ２に作用する軸方向他端側への移動力との合力が、被処理物Ｐ１を処理容器１の軸方向一端側から軸方向他端側に移動させる送り手段として働く。
【００３５】
一方、傾斜機構５ａにより、処理容器１の軸方向一端側（供給口１ａの側）が傾斜方向下方側、軸方向他端側（排出口１ｂの側）が傾斜方向上方側に位置するように、処理容器１の軸線を水平線に対して所定角度で傾斜させることもできる。この場合、処理容器１の傾斜に伴う重力の影響により、処理容器内１の被処理物Ｐ２に対して軸方向一端側に向かう移動力が与えられ、この移動力と、回転するスクレーパ３の掻き取り羽根３Ａ３により処理容器内１の被処理物Ｐ２に作用する軸方向他端側への移動力との合力が、被処理物Ｐ１を処理容器１の軸方向一端側から軸方向他端側に移動させる送り手段として働く。
【００３６】
図６は、連続式攪拌処理装置を傾斜機構５ａにより傾斜させて、処理容器１の軸方向一端側（供給口１ａの側）が鉛直方向上方側、軸方向他端側（排出口１ｂの側）が鉛直方向下方側に位置するように、処理容器１の軸線を水平線に対して角度９０度で傾斜させた状態を示している。処理容器１が同図に示す状態で傾斜すると、重力の影響により、処理容器内１の被処理物Ｐ２に対して軸方向他端側に向かう移動力が与えられる。
【００３７】
図７は、アジテータ２の変形例を示している。この変形例のアジテータ２では、各攪拌羽根２ｂが、回転方向Ｒ１と直交する側に偏平で、かつ、回転方向Ｒ１に均一な厚さを有する矩形片の形態を有している。この攪拌羽根２ｂが回転軸２ａと伴に矢印Ｒ１方向に回転することにより、処理容器１内の被処理物が攪拌混合されると共に、被処理物が攪拌羽根２ｂの辺部で解砕されて分散される。その他の事項は、上述したアジテータ２と同じであるので、重複する説明を省略する。
【００３８】
以上の実施形態において、アジテータ２は、攪拌羽根２ｂの形状及び枚数、回転速度及び回転方向を変更することによって、被処理物Ｐ１に対する攪拌混合及び解砕作用や、処理容器１内での被処理物Ｐ１の滞留時間を調整することができる。
【００３９】
また、スクレーパ３は、スクレーパ分割体３Ａの連結数、掻き取り羽根３Ａ３の形状及び枚数、回転速度及び回転方向を変更することによって、被処理物Ｐ１の掻き落し作用や、被処理物Ｐ１に与える移動力を調整することができる。あるいは、スクレーパ３は、被処理物Ｐ１の掻き落し作用のみを行い（この場合、掻き取り羽根３Ａ３は、軸方向には、一端側の環状部３Ａ１から他端側の環状部３Ａ２に向かって、処理容器１の軸線と平行に延びた形状にする。）、被処理物Ｐ１に対する軸方向他端側への移動力は、処理容器１を図５に示す状態で傾斜させることによって与えても良い。尚、上述したように、スクレーパ３は、スクレーパ分割体３Ａの連結体ではなく、一体構造であっても良い。
【００４０】
さらに、以上の実施形態では、処理容器１が回転方向に固定で、アジテータ２とスクレーパ３が回転する構成にしているが、スクレーパ３が回転方向に固定で、処理容器１とアジテータ２が回転する構成にしてよい。また、図示は省略するが、被処理物投入部７や被処理物搬送部６ｂ等の適宜の部位に加湿ゾーンを設け、加湿ゾーンにて、結合剤液Ｑ以外の液体、例えば水で被処理物Ｐ１を加湿するようにしても良い。あるいは、アジテータ２やスクレーパ３に液体の流通路と、該流通路に連通するノズル部を設け、水等の液体を上記流通路とノズル部を介して、処理容器１内の被処理物Ｐ１に噴霧して加湿するようにしても良い。                                                                             
【符号の説明】
【００４１】
１  処理容器
１ａ  供給口
１ｂ  排出口
１ｃ  内周部
２  アジテータ
２ａ  回転軸
２ｂ  攪拌羽根
３  スクレーパ
３Ａ  スクレーパ分割体
３Ａ１  環状部（遅延堰）
３Ａ２  環状部（遅延堰）
３Ａ３  掻き取り羽根
５  支持部
５ａ  傾斜機構
６  被処理物供給部６
６ａ  被処理物収容部
６ｂ  被処理物搬送部
【図１】
0006419465.tif 000002
【図２】
0006419465.tif 000003
【図３】
0006419465.tif 000004
【図４】
0006419465.tif 000005
【図５】
0006419465.tif 000006
【図６】
0006419465.tif 000007
【図７】
0006419465.tif 000008